(57)【要約】【課題】安価で、小型化を実現でき、電力効率を改善できる発振回路を提供する。【解決手段】ＳＡＷフィルタ６の入出力間の周波数ｆ１における位相特性と、ＳＡＷフィルタ８の入出力間の周波数ｆ２における位相特性とが略逆位相（位相特性差がπ［ｒａｄ］）となるように、ＳＡＷフィルタ６，８における電極配置が調整されている。そして、第１の共通出力端子４４が増幅回路の入力端子１６と接続され、かつ第２の共通出力端子４６が接地される第１の状態と、第１の共通出力端子４４が接地され、かつ第２の共通出力端子４６が増幅回路の入力端子１６と接続される第２の状態とが切り換え可能な切り換え回路１４を備え、第１の状態と第２の状態とを切り換えることで発振させる周波数を切り換える。【選択図】　　　　図１
2004040421.tif 000002
【特許請求の範囲】
【請求項１】
増幅回路と、該増幅回路の出力を帰還させる帰還回路と、を有し、２つの周波数帯域で発振する発振回路であって、
前記帰還回路は、
第１の周波数帯域の信号を通過させる第１の弾性表面波フィルタと、
第１の弾性表面波フィルタと並列に設けられ、第１の周波数帯域と異なる第２の周波数帯域の信号を通過させる第２の弾性表面波フィルタと、
該２つの弾性表面波フィルタの出力側に設けられた切り換え回路と、
を有し、
前記帰還回路の入出力間の位相特性は、第１の弾性表面波フィルタを通過する側の第１の周波数帯域における位相特性と、第２の弾性表面波フィルタを通過する側の第２の周波数帯域における位相特性とが略逆位相であり、
前記切り換え回路は、
前記２つの弾性表面波フィルタの第１の共通出力端子が前記増幅回路の入力端子と接続され、かつ前記２つの弾性表面波フィルタの第２の共通出力端子が基準電位と接続された第１の状態と、
前記２つの弾性表面波フィルタの第１の共通出力端子が基準電位と接続され、かつ前記２つの弾性表面波フィルタの第２の共通出力端子が前記増幅回路の入力端子と接続された第２の状態と、
を切り換えることで、発振させる周波数帯域を切り換えることを特徴とする発振回路。
【請求項２】
増幅回路と、該増幅回路の出力を帰還させる帰還回路と、を有し、２つの周波数帯域で発振する発振回路であって、
前記帰還回路は、
第１の周波数帯域の信号を通過させる第１の弾性表面波フィルタと、
第１の弾性表面波フィルタと並列に設けられ、第１の周波数帯域と異なる第２の周波数帯域の信号を通過させる第２の弾性表面波フィルタと、
該２つの弾性表面波フィルタの入力側に設けられた切り換え回路と、
を有し、
前記帰還回路の入出力間の位相特性は、第１の弾性表面波フィルタを通過する側の第１の周波数帯域における位相特性と、第２の弾性表面波フィルタを通過する側の第２の周波数帯域における位相特性とが略逆位相であり、
前記切り換え回路は、
前記２つの弾性表面波フィルタの第１の共通入力端子が前記増幅回路の出力端子と接続され、かつ前記２つの弾性表面波フィルタの第２の共通入力端子が基準電位と接続された第１の状態と、
前記２つの弾性表面波フィルタの第１の共通入力端子が基準電位と接続され、かつ前記２つの弾性表面波フィルタの第２の共通入力端子が前記増幅回路の出力端子と接続された第２の状態と、
を切り換えることで、発振させる周波数帯域を切り換えることを特徴とする発振回路。
【請求項３】
差動増幅回路と、該差動増幅回路の出力を帰還させる帰還回路と、を有し、２つの周波数帯域で発振する発振回路であって、
前記帰還回路は、
第１の周波数帯域の信号を通過させる第１の弾性表面波フィルタと、
第１の弾性表面波フィルタと並列に設けられ、第１の周波数帯域と異なる第２の周波数帯域の信号を通過させる第２の弾性表面波フィルタと、
該２つの弾性表面波フィルタの出力側に設けられた切り換え回路と、
を有し、
前記帰還回路の入出力間の位相特性は、第１の弾性表面波フィルタを通過する側の第１の周波数帯域における位相特性と、第２の弾性表面波フィルタを通過する側の第２の周波数帯域における位相特性とが略逆位相であり、
前記切り換え回路は、
前記２つの弾性表面波フィルタの第１の共通出力端子が前記差動増幅回路の第１の入力端子と接続され、かつ前記２つの弾性表面波フィルタの第２の共通出力端子が前記差動増幅回路の第２の入力端子と接続された第１の状態と、
前記２つの弾性表面波フィルタの第１の共通出力端子が前記差動増幅回路の第２の入力端子と接続され、かつ前記２つの弾性表面波フィルタの第２の共通出力端子が前記差動増幅回路の第１の入力端子と接続された第２の状態と、
を切り換えることで、発振させる周波数帯域を切り換えることを特徴とする発振回路。
【請求項４】
差動増幅回路と、該差動増幅回路の出力を帰還させる帰還回路と、を有し、２つの周波数帯域で発振する発振回路であって、
前記帰還回路は、
第１の周波数帯域の信号を通過させる第１の弾性表面波フィルタと、
第１の弾性表面波フィルタと並列に設けられ、第１の周波数帯域と異なる第２の周波数帯域の信号を通過させる第２の弾性表面波フィルタと、
該２つの弾性表面波フィルタの入力側に設けられた切り換え回路と、
を有し、
前記帰還回路の入出力間の位相特性は、第１の弾性表面波フィルタを通過する側の第１の周波数帯域における位相特性と、第２の弾性表面波フィルタを通過する側の第２の周波数帯域における位相特性とが略逆位相であり、
前記切り換え回路は、
前記２つの弾性表面波フィルタの第１の共通入力端子が前記差動増幅回路の第１の出力端子と接続され、かつ前記２つの弾性表面波フィルタの第２の共通入力端子が前記差動増幅回路の第２の出力端子と接続された第１の状態と、
前記２つの弾性表面波フィルタの第１の共通入力端子が前記差動増幅回路の第２の出力端子と接続され、かつ前記２つの弾性表面波フィルタの第２の共通入力端子が前記差動増幅回路の第１の出力端子と接続された第２の状態と、
を切り換えることで、発振させる周波数帯域を切り換えることを特徴とする発振回路。
【請求項５】
請求項１〜４のいずれか１に記載の発振回路であって、
前記帰還回路は、入力された信号の移相量を外部から変えることができる可変移相器をさらに有することを特徴とする発振回路。
【発明の詳細な説明】
【０００１】
【発明の属する技術分野】
本発明は弾性表面波フィルタを用いた発振回路に関し、特に、２つの周波数帯域で発振することが可能な発振回路に関する。
【０００２】
【従来の技術】
弾性表面波フィルタ（以下、ＳＡＷ（Ｓｕｒｆａｃｅ　Ａｃｏｕｓｔｉｃ　Ｗａｖｅ）フィルタとする）を使用し、２つの周波数帯域で発振する発振回路は通信機器等に広く使用されている。例えば、移動体通信用基地局の増幅回路においては、周辺回路として２つの周波数帯域で発振する発振回路が使用されている。
【０００３】
従来使用されていた２つの周波数帯域で発振する発振回路の一例が、図１０に示されている。発振回路３００は、増幅回路２０２と増幅回路２０２の出力を帰還させる帰還回路２０４とを有している。増幅回路２０２から出力された信号は、帰還回路２０４に入力される。そして、帰還回路２０４に入力された信号は再び増幅回路２０２に入力され、後述する発振条件を満たす場合、発振回路３００は発振動作を行う。
【０００４】
帰還回路２０４は、互いに並列接続されたＳＡＷフィルタ２０６，２０８及び移相器２１８を有している。増幅回路２０２から出力された信号は移相器２１８に入力される。そして、移相器２１８で信号の位相が調整されてＳＡＷフィルタ２０６，２０８に入力される。ＳＡＷフィルタ２０６とＳＡＷフィルタ２０８は、各々中心周波数ｆ１、ｆ２の異なった周波数帯域の信号を通過させるフィルタ特性を備えている。さらに、ＳＡＷフィルタ２０６の周波数ｆ１における位相特性とＳＡＷフィルタ２０８の周波数ｆ２における位相特性とがπ［ｒａｄ］異なっている。
【０００５】
発振回路３００の発振条件は、発振動作に用いられるＳＡＷフィルタ、増幅回路２０２、移相器２１８のゲインを各々ＧＳＡＷ［ｄＢ］、ＧＥ［ｄＢ］、Ｇｐ［ｄＢ］とし、移相器２１８によって位相がФｐ［ｒａｄ］進まされ（又は遅らされ）、ＳＡＷフィルタによって位相がФＳＡＷ［ｒａｄ］進まされ（又は遅らされ）、増幅回路２０２によって位相がФＥ［ｒａｄ］進まされ（又は遅らされ）とすると、次の（１）、（２）式で表される。
【０００６】
【数１】
ＧＳＡＷ＋Ｇｅ＋Ｇｐ≧０・・・（１）
【数２】
ФＳＡＷ＋ФＥ＋Фｐ＝２ｎπ（ｎは整数）・・・（２）
ここで、ＳＡＷフィルタ２０６に関して（２）式が成立するように移相器２１８の移相量Фｐが調整されることにより、周波数ｆ１で発振する。一方、ＳＡＷフィルタ２０８に関して（２）式が成立するように移相器２１８の移相量Фｐが調整されることにより、周波数ｆ２で発振する。
【０００７】
このように、従来の発振回路は、移相器２１８によって信号の移相量を調整することによって、２つの周波数で発振動作を行っていた。
【０００８】
【発明が解決しようとする課題】
図１０に示された２つの周波数で発振可能な発振回路３００においては、発振させる周波数を切り換えるために、信号の移相量を大きく変化（π［ｒａｄ］）させることができる移相器２１８を用いなければならない。このような信号の移相量を大きく変化させることができる移相器２１８は、回路構成が複雑かつ大規模で、信号の減衰が大きい。したがって、この従来の発振回路においては、コストが高くなり、回路の小型化が困難で、かつ電力効率が悪化してしまうという課題があった。
【０００９】
本発明は上記課題に鑑みてなされたものであり、安価で、小型化を実現でき、電力効率を改善できる発振回路を提供することを目的とする。
【００１０】
【課題を解決するための手段】
第１の本発明に係る発振回路は、増幅回路と、該増幅回路の出力を帰還させる帰還回路と、を有し、２つの周波数帯域で発振する発振回路であって、前記帰還回路は、第１の周波数帯域の信号を通過させる第１の弾性表面波フィルタと、第１の弾性表面波フィルタと並列に設けられ、第１の周波数帯域と異なる第２の周波数帯域の信号を通過させる第２の弾性表面波フィルタと、該２つの弾性表面波フィルタの出力側に設けられた切り換え回路と、を有し、前記帰還回路の入出力間の位相特性は、第１の弾性表面波フィルタを通過する側の第１の周波数帯域における位相特性と、第２の弾性表面波フィルタを通過する側の第２の周波数帯域における位相特性とが略逆位相であり、前記切り換え回路は、前記２つの弾性表面波フィルタの第１の共通出力端子が前記増幅回路の入力端子と接続され、かつ前記２つの弾性表面波フィルタの第２の共通出力端子が基準電位と接続された第１の状態と、前記２つの弾性表面波フィルタの第１の共通出力端子が基準電位と接続され、かつ前記２つの弾性表面波フィルタの第２の共通出力端子が前記増幅回路の入力端子と接続された第２の状態と、を切り換えることで、発振させる周波数帯域を切り換えることを特徴とする。
【００１１】
このように、２つの弾性表面波フィルタの第１の共通出力端子が増幅回路の入力端子と接続され、かつ２つの弾性表面波フィルタの第２の共通出力端子が基準電位と接続された第１の状態と、２つの弾性表面波フィルタの第１の共通出力端子が基準電位と接続され、かつ２つの弾性表面波フィルタの第２の共通出力端子が増幅回路の入力端子と接続された第２の状態と、を切り換えることで、発振させる周波数帯域を切り換えるので、移相量を大きく変化させる移相器が不要となる。したがって、安価で、小型化を実現でき、電力効率を改善できる。
【００１２】
第２の本発明に係る発振回路は、増幅回路と、該増幅回路の出力を帰還させる帰還回路と、を有し、２つの周波数帯域で発振する発振回路であって、前記帰還回路は、第１の周波数帯域の信号を通過させる第１の弾性表面波フィルタと、第１の弾性表面波フィルタと並列に設けられ、第１の周波数帯域と異なる第２の周波数帯域の信号を通過させる第２の弾性表面波フィルタと、該２つの弾性表面波フィルタの入力側に設けられた切り換え回路と、を有し、前記帰還回路の入出力間の位相特性は、第１の弾性表面波フィルタを通過する側の第１の周波数帯域における位相特性と、第２の弾性表面波フィルタを通過する側の第２の周波数帯域における位相特性とが略逆位相であり、前記切り換え回路は、前記２つの弾性表面波フィルタの第１の共通入力端子が前記増幅回路の出力端子と接続され、かつ前記２つの弾性表面波フィルタの第２の共通入力端子が基準電位と接続された第１の状態と、前記２つの弾性表面波フィルタの第１の共通入力端子が基準電位と接続され、かつ前記２つの弾性表面波フィルタの第２の共通入力端子が前記増幅回路の出力端子と接続された第２の状態と、を切り換えることで、発振させる周波数帯域を切り換えることを特徴とする。
【００１３】
第３の本発明に係る発振回路は、差動増幅回路と、該差動増幅回路の出力を帰還させる帰還回路と、を有し、２つの周波数帯域で発振する発振回路であって、前記帰還回路は、第１の周波数帯域の信号を通過させる第１の弾性表面波フィルタと、第１の弾性表面波フィルタと並列に設けられ、第１の周波数帯域と異なる第２の周波数帯域の信号を通過させる第２の弾性表面波フィルタと、該２つの弾性表面波フィルタの出力側に設けられた切り換え回路と、を有し、前記帰還回路の入出力間の位相特性は、第１の弾性表面波フィルタを通過する側の第１の周波数帯域における位相特性と、第２の弾性表面波フィルタを通過する側の第２の周波数帯域における位相特性とが略逆位相であり、前記切り換え回路は、前記２つの弾性表面波フィルタの第１の共通出力端子が前記差動増幅回路の第１の入力端子と接続され、かつ前記２つの弾性表面波フィルタの第２の共通出力端子が前記差動増幅回路の第２の入力端子と接続された第１の状態と、前記２つの弾性表面波フィルタの第１の共通出力端子が前記差動増幅回路の第２の入力端子と接続され、かつ前記２つの弾性表面波フィルタの第２の共通出力端子が前記差動増幅回路の第１の入力端子と接続された第２の状態と、を切り換えることで、発振させる周波数帯域を切り換えることを特徴とする。
【００１４】
第４の本発明に係る発振回路は、差動増幅回路と、該差動増幅回路の出力を帰還させる帰還回路と、を有し、２つの周波数帯域で発振する発振回路であって、前記帰還回路は、第１の周波数帯域の信号を通過させる第１の弾性表面波フィルタと、第１の弾性表面波フィルタと並列に設けられ、第１の周波数帯域と異なる第２の周波数帯域の信号を通過させる第２の弾性表面波フィルタと、該２つの弾性表面波フィルタの入力側に設けられた切り換え回路と、を有し、前記帰還回路の入出力間の位相特性は、第１の弾性表面波フィルタを通過する側の第１の周波数帯域における位相特性と、第２の弾性表面波フィルタを通過する側の第２の周波数帯域における位相特性とが略逆位相であり、前記切り換え回路は、前記２つの弾性表面波フィルタの第１の共通入力端子が前記差動増幅回路の第１の出力端子と接続され、かつ前記２つの弾性表面波フィルタの第２の共通入力端子が前記差動増幅回路の第２の出力端子と接続された第１の状態と、前記２つの弾性表面波フィルタの第１の共通入力端子が前記差動増幅回路の第２の出力端子と接続され、かつ前記２つの弾性表面波フィルタの第２の共通入力端子が前記差動増幅回路の第１の出力端子と接続された第２の状態と、を切り換えることで、発振させる周波数帯域を切り換えることを特徴とする。
【００１５】
第５の本発明に係る発振回路は、第１〜４の本発明のいずれか１に記載の回路であって、前記帰還回路は、入力された信号の移相量を外部から変えることができる可変移相器をさらに有することを特徴とする。
【００１６】
このように、入力された信号の移相量を外部から変えることができる可変移相器をさらに有することにより、回路の位相特性が経時変化、温度特性等で変化した場合でも、可変移相器でその変化を補償することができるので、所望の発振周波数を安定して得ることができる。
【００１７】
【発明の実施の形態】
以下、本発明の実施の形態（以下実施形態という）を、図面にしたがって説明する。
【００１８】
（１）第１実施形態
図１に本発明の第１実施形態に係る発振回路１００のブロック図が示されている。発振回路１００は、信号を増幅する増幅回路２と、増幅回路２からの出力信号を増幅回路２の入力へ帰還させる帰還回路４を備えている。増幅回路２から出力された信号は、帰還回路４に入力される。そして、帰還回路４に入力された信号は再び増幅回路２に入力され、後述する発振条件が満たされる場合、発振回路１００は発振動作を行う。
【００１９】
帰還回路４は、互いに並列接続されたＳＡＷフィルタ６，８、ＳＡＷフィルタ６，８の入力側に設けられた固定移相器１０及びＳＡＷフィルタ６，８の出力側に設けられた切り換え回路１４を有している。
【００２０】
ＳＡＷフィルタ６は、中心周波数ｆ１の周波数帯域の信号を通過させるフィルタ特性を有する狭帯域フィルタであり、ＳＡＷフィルタ８は、中心周波数ｆ２の周波数帯域の信号を通過させるフィルタ特性を有する狭帯域フィルタである。ここで、ｆ１とｆ２は異なった周波数である。また、ＳＡＷフィルタ６の入出力間の周波数ｆ１における位相特性と、ＳＡＷフィルタ８の入出力間の周波数ｆ２における位相特性とが略逆位相（位相特性差がπ［ｒａｄ］）となるように、ＳＡＷフィルタ６，８における電極配置が調整されている。このときの帰還回路４の入出力間の位相特性については、ＳＡＷフィルタ６を通過する側の周波数ｆ１における位相特性と、ＳＡＷフィルタ８を通過する側の周波数ｆ２における位相特性とが略逆位相（位相特性差がπ［ｒａｄ］）となる。
【００２１】
次に、本実施形態におけるＳＡＷフィルタの電極配置について図２及び図１１を用いて説明する。
【００２２】
一般的にＳＡＷフィルタは、図示しない圧電性基板上に形成された複数の櫛形電極を備えている。図１１には、中心周波数の異なる二つの共振器型ＳＡＷフィルタが並列接続されたときの電極配置が示されている。ここで、ＳＡＷフィルタ５６，５８は共振器型ＳＡＷフィルタであり、ＳＡＷフィルタ５６は入力櫛形電極２０，２１、出力櫛形電極２６，２７及びそれらの外側に配置された反射器２４，２５を有し、ＳＡＷフィルタ５８は入力櫛形電極３０，３１、出力櫛形電極３２，３３及びそれらの外側に配置された反射器３４，３５を有している。ここで、入力櫛形電極２１，３１は接地されている。そして、ＳＡＷフィルタ５６の入力櫛形電極２０とＳＡＷフィルタ５８の入力櫛形電極３０、ＳＡＷフィルタ５６の出力櫛形電極２７とＳＡＷフィルタ５８の出力櫛形電極３３及びＳＡＷフィルタ５６の出力櫛形電極２６とＳＡＷフィルタ５８の出力櫛形電極３２は、それぞれ共通接続されている。
【００２３】
ＳＡＷフィルタ５６は、中心周波数ｆ１の周波数帯域の信号を通過させるフィルタ特性を有する狭帯域フィルタである。一方、ＳＡＷフィルタ５８は、中心周波数ｆ２の周波数帯域の信号を通過させるフィルタ特性を有する狭帯域フィルタであるが、ｆ１とｆ２にはｆ１＞ｆ２という関係があり、ＳＡＷフィルタ５６の電極配置は変えず、ＳＡＷフィルタ５６をｆ１／ｆ２倍した構成である。このとき、ＳＡＷフィルタ５６の入出力間の周波数ｆ１における位相特性と、ＳＡＷフィルタ５８の入出力間の周波数ｆ２における位相特性とが同位相（位相特性差が０［ｒａｄ］）となる。
【００２４】
一方、図２には本実施形態の発振回路１００におけるＳＡＷフィルタ６，８の電極配置及び切り換え回路１４が示されている。ＳＡＷフィルタ８とＳＡＷフィルタ５８の電極配置は図１１と比較して同じである。しかし、ＳＡＷフィルタ６の出力櫛形電極２２，２３と、ＳＡＷフィルタ５６の出力櫛形電極２６，２７とは、各櫛形電極の電極指の配置が異なっている。すなわち、図２における出力櫛形電極２２，２３の配置は、図１１における出力櫛形電極２６，２７の配置を逆転させた配置になっている。このように配置することで、ＳＡＷフィルタ６の入出力間の周波数ｆ１における位相特性と、ＳＡＷフィルタ８の入出力間の周波数ｆ２における位相特性とが逆位相（位相特性差がπ［ｒａｄ］）となるように調整することができる。また、共通接続されているＳＡＷフィルタ６の入力櫛形電極２０とＳＡＷフィルタ８の入力櫛形電極３０、ＳＡＷフィルタ６の出力櫛形電極２３とＳＡＷフィルタ８の出力櫛形電極３３及びＳＡＷフィルタ６の出力櫛形電極２２とＳＡＷフィルタ８の出力櫛形電極３２は、共通入力端子４２、第１の共通出力端子４４及び第２の共通出力端子４６とそれぞれ接続されている。
【００２５】
なお、ＳＡＷフィルタ６，８の電極配置は、図３に示されるように、図２に示された出力櫛型電極２２と出力櫛形電極２３とで配置を入れて変えてもよい。
【００２６】
切り換え回路１４は、第１の共通出力端子４４が増幅回路の入力端子１６と接続され、かつ第２の共通出力端子４６が接地される第１の状態（図２の実線）と、第１の共通出力端子４４が接地され、かつ第２の共通出力端子４６が増幅回路の入力端子１６と接続される第２の状態（図２の破線）とが切り換え可能である。
【００２７】
ここで、切り換え回路１４が第１の状態であるときを考える。ＳＡＷフィルタ６の共通入力端子４２〜第１の共通出力端子４４間のゲイン、位相特性をそれぞれＧＳＡＷ６［ｄＢ］、ФＳＡＷ６［ｒａｄ］とし、増幅回路２の入出力間のゲイン、位相特性をそれぞれＧＥ［ｄＢ］、ФＥ［ｒａｄ］とし、固定移相器１０の入出力間のゲイン、位相特性をそれぞれＧｐ［ｄＢ］、Фｐ［ｒａｄ］とすると、発振回路１００が周波数ｆ１で発振するための条件は、次の（３）、（４）式で表され、これらの式を満たすようにＧＳＡＷ６、ＧＥ、Ｇｐ、ФＳＡＷ６、ФＥ、Фｐの値が設定されている。
【００２８】
【数３】
ＧＳＡＷ６＋Ｇｅ＋Ｇｐ≧０・・・（３）
【数４】
ФＳＡＷ６＋ФＥ＋Фｐ＝２ｎπ（ｎは整数）・・・（４）
このとき、ＳＡＷフィルタ８の共通入力端子４２〜第１の共通出力端子４４間のゲイン、位相特性をそれぞれＧＳＡＷ８［ｄＢ］、ФＳＡＷ８［ｒａｄ］とすると、（ФＳＡＷ８＝ФＳＡＷ６＋π）であるので、次の（５）式が成立し、発振回路１００は周波数ｆ２では発振しない。
【００２９】
【数５】
ФＳＡＷ８＋ФＥ＋Фｐ＝（２ｎ＋１）π（ｎは整数）・・・（５）
次に、切り換え回路１４が第２の状態であるときを考える。ここで、ＳＡＷフィルタ６の共通入力端子４２〜第２の共通出力端子４６間のゲイン、位相特性はそれぞれＧＳＡＷ６［ｄＢ］、（ФＳＡＷ６＋π）［ｒａｄ］であり、ＳＡＷフィルタ８の共通入力端子４２〜第２の共通出力端子４６間のゲイン、位相特性はそれぞれＧＳＡＷ８［ｄＢ］、（ФＳＡＷ８＋π）［ｒａｄ］である。したがって、次の（６）、（７）式が成立し、発振回路１００は周波数ｆ２では発振し、かつ周波数ｆ１では発振しない。
【００３０】
【数６】
（ФＳＡＷ６＋π）＋ФＥ＋Фｐ＝（２ｎ＋１）π（ｎは整数）・・・（６）
【数７】
（ФＳＡＷ８＋π）＋ФＥ＋Фｐ＝２ｎπ（ｎは整数）・・・（７）
ただし、次の（８）式を満たすようにＧＳＡＷ８の値が設定されている。
【００３１】
【数８】
ＧＳＡＷ８＋Ｇｅ＋Ｇｐ≧０・・・（８）
したがって、切り換え回路１４の状態を第１の状態と第２の状態とを切り換えることで、発振動作に用いられるＳＡＷフィルタを切り換えて発振させる周波数を切り換えることができる。
【００３２】
本実施形態においては、ＳＡＷフィルタ６の入出力間の周波数ｆ１における位相特性と、ＳＡＷフィルタ８の入出力間の周波数ｆ２における位相特性とが略逆位相（位相特性差がπ［ｒａｄ］）となるように、ＳＡＷフィルタ６，８における電極配置が調整されている。そして、第１の共通出力端子４４が増幅回路の入力端子１６と接続され、かつ第２の共通出力端子４６が接地される第１の状態と、第１の共通出力端子４４が接地され、かつ第２の共通出力端子４６が増幅回路の入力端子１６と接続される第２の状態とが切り換え可能な切り換え回路１４を備え、第１の状態と第２の状態とを切り換えることで、発振させる周波数を切り換えている。したがって、移相量を大きく変化させる移相器が不要となる。そして、発振動作に用いられるＳＡＷフィルタを切り換える切り換え回路１４は、ＳＡＷフィルタ６，８の入出力両方に設ける必要がない。以上のように本実施形態の発振回路１００は、安価で、小型化を実現でき、電力効率を改善できる。
【００３３】
本実施形態における切り換え回路１４は、図４に示すようにＳＡＷフィルタ６，８の入力側に設けられていてもよい。図４におけるＳＡＷフィルタ６，８の電極配置については、図２と同様である。ここで、出力櫛形電極２２，３２は接地されている。そして、ＳＡＷフィルタ６の入力櫛形電極２０とＳＡＷフィルタ８の入力櫛形電極３０、ＳＡＷフィルタ６の入力櫛形電極２１とＳＡＷフィルタ８の入力櫛形電極３１及びＳＡＷフィルタ６の出力櫛形電極２３とＳＡＷフィルタ８の出力櫛形電極３３は、それぞれ共通接続され、さらに、第１の共通入力端子４２、第２の共通入力端子４８及び共通出力端子４４とそれぞれ接続されている。切り換え回路１４は、第１の共通入力端子４２が増幅回路２の出力端子１２と固定移相器１０を介して接続され、かつ第２の共通入力端子４８が接地される第１の状態（図４の実線）と、第１の共通入力端子４２が接地され、かつ第２の共通入力端子４８が増幅回路２の出力端子１２と固定移相器１０を介して接続される第２の状態（図４の破線）とが切り換え可能である。図４の構成においても切り換え回路１４の状態を第１の状態と第２の状態とを切り換えることで、発振させる周波数を切り換えることができる。
【００３４】
さらに本実施形態においては、図５に示すように、帰還回路４は可変移相器４０をさらに備えていてもよい。図５において、固定移相器１０の入力側に設けられた可変移相器４０は、外部からの制御信号が入力され、信号の移相量を制御信号に応じて変えることができる。ここでの可変移相器４０は、ＳＡＷフィルタのばらつき、ＳＡＷフィルタの温度特性等を補償するために、電圧制御で移相量を変化させることができ、これにより回路の位相特性が経時変化、温度特性等で変化した場合でも所望の発振周波数を安定して得ることができる。ここでの可変移相器４０による移相量の変化は僅かでよいので、移相量を大きく変化させる移相器と違ってコスト高、回路の大型化、電力効率の悪化を招くことはない。
【００３５】
（２）第２実施形態
図６に本発明の第２実施形態に係る発振回路２００のブロック図が示されている。本実施形態の発振回路２００は差動型の発振回路であり、差動増幅回路１０２、差動増幅回路１０２からの出力信号を差動増幅回路１０２の入力へ帰還させる帰還回路１０４を備えている。帰還回路１０４は、互いに並列接続されたＳＡＷフィルタ１０６，１０８、ＳＡＷフィルタ１０６，１０８の入力側に設けられた固定移相器１１０及びＳＡＷフィルタ１０６，１０８の出力側に設けられた切り換え回路１１４を有している。
【００３６】
図７には、本実施形態の発振回路におけるＳＡＷフィルタ１０６，１０８の電極配置及び切り換え回路１１４が示されている。ＳＡＷフィルタ１０６は入力櫛形電極１２０，１２１、出力櫛形電極１２２，１２３及びそれらの外側に配置された反射器１２４，１２５を有し、ＳＡＷフィルタ１０８は入力櫛形電極１３０，１３１、出力櫛形電極１３２，１３３及びそれらの外側に配置された反射器１３４，１３５を有している。ＳＡＷフィルタ１０６の入力櫛形電極１２０とＳＡＷフィルタ８の入力櫛形電極１３０、ＳＡＷフィルタ６の入力櫛形電極１２１とＳＡＷフィルタ８の入力櫛形電極１３１、ＳＡＷフィルタ６の出力櫛形電極１２３とＳＡＷフィルタ８の出力櫛形電極１３３及びＳＡＷフィルタ６の出力櫛形電極１２２とＳＡＷフィルタ８の出力櫛形電極１３２は、それぞれ共通接続され、さらに、第１の共通入力端子１４２、第２の共通入力端子１４８、第１の共通出力端子１４４及び第２の共通出力端子１４６とそれぞれ接続されている。本実施形態におけるＳＡＷフィルタ１０６，１０８の電極配置については、第１実施形態と同様であり、ＳＡＷフィルタ６の入出力間の周波数ｆ１における位相特性と、ＳＡＷフィルタ８の入出力間の周波数ｆ２における位相特性とが略逆位相（位相特性差がπ［ｒａｄ］）となっている。なお、図示はしないが第１実施形態における図２及び図３の関係と同様に、図７に示された出力櫛型電極１２２と出力櫛形電極１２３とで配置を入れて変えてもよい。
【００３７】
切り換え回路１１４は、第１の共通出力端子１４４が差動増幅回路１０２の第１の入力端子１１６と接続され、かつ第２の共通出力端子１４６が差動増幅回路１０２の第２の入力端子１６６と接続される第１の状態（図７の実線）と、第１の共通出力端子１４４が差動増幅回路１０２の第２の入力端子１６６と接続され、かつ第２の共通出力端子１４６が差動増幅回路１０２の第１の入力端子１４４と接続される第２の状態（図７の破線）とが切り換え可能である。
【００３８】
その他の構成については第１実施形態と同様であるため説明を省略する。本実施形態においても切り換え回路１１４の状態を第１の状態と第２の状態とを切り換えることで、第１実施形態と同様の作用により、発振動作に用いられるＳＡＷフィルタを切り換えて発振させる周波数を切り換えることができる。
【００３９】
本実施形態においても、移相量を大きく変化させる移相器が不要となり、ＳＡＷフィルタ１０６，１０８の入出力両方に切り換え回路を設ける必要がないので、安価で、小型化を実現でき、電力効率を改善できる。さらに本実施形態におけるＳＡＷフィルタ１０６，１０８は平衡型であるので、雑音特性、電源電圧変動特性に優れた発振回路を得ることができる。そして、平衡型のＳＡＷフィルタを用いた場合においては、本実施形態の切り換え回路１１４を用いて発振させる周波数を切り換えることで、ＳＡＷフィルタの入出力端子の数、切り換え回路中のスイッチの数を削減できるので、小型化に有利である。
【００４０】
本実施形態においても第１実施形態と同様に、切り換え回路１１４は図８に示すようにＳＡＷフィルタ１０６，１０８の入力側に設けられていてもよい。さらに、帰還回路１０４は図９に示すように、経時変化、温度特性等による回路の位相変化を補償するための可変移相器１４０をさらに備えていてもよい。
【００４１】
なお、各実施形態の並列に設けられた２つのＳＡＷフィルタは、１つの圧電性基板上に形成できる。１つの圧電性基板上に形成することにより、各フィルタの中心周波数のばらつきを少なくすることが可能であり、精度のよいＳＡＷフィルタを提供することが可能である。
【００４２】
また、各実施形態においては固定移相器、可変移相器がＳＡＷフィルタの入力側に設けられている場合について説明したが、ＳＡＷフィルタの出力側に設けてもよい。
【図面の簡単な説明】
【図１】本発明の第１実施形態に係る発振回路の構成を示すブロック図である。
【図２】本発明の第１実施形態におけるＳＡＷフィルタの電極配置及び切り換え回路の切り換え状態を示す図である。
【図３】本発明の第１実施形態におけるＳＡＷフィルタの、他の電極配置が示された図である。
【図４】本発明の第１実施形態の変形例におけるＳＡＷフィルタの電極配置及び切り換え回路の切り換え状態を示す図である。
【図５】本発明の第１実施形態の変形例に係る発振回路の構成を示すブロック図である。
【図６】本発明の第２実施形態に係る発振回路の構成を示すブロック図である。
【図７】本発明の第２実施形態におけるＳＡＷフィルタの電極配置及び切り換え回路の切り換え状態を示す図である。
【図８】本発明の第２実施形態の変形例におけるＳＡＷフィルタの電極配置及び切り換え回路の切り換え状態を示す図である。
【図９】本発明の第２実施形態の変形例に係る発振回路の構成を示すブロック図である。
【図１０】従来の発振回路の構成を示すブロック図である。
【図１１】入力信号に対して出力信号の位相がほぼ等しい場合のＳＡＷフィルタの電極配置を示す図である。
【符号の説明】
２　増幅回路、４，１０４　帰還回路、６，８，１０６，１０８　ＳＡＷフィルタ、１０，１１０　固定移相器、１４，１１４　切り換え回路、４０，１４０
可変移相器、１００，２００　発振回路、１０２　差動増幅回路。
【図１】
2004040421.tif 000003
【図２】
2004040421.tif 000004
【図３】
2004040421.tif 000005
【図４】
2004040421.tif 000006
【図５】
2004040421.tif 000007
【図６】
2004040421.tif 000008
【図７】
2004040421.tif 000009
【図８】
2004040421.tif 000010
【図９】
2004040421.tif 000011
【図１０】
2004040421.tif 000012
【図１１】
2004040421.tif 000013